(57)【要約】【課題】高輝度被写体等による大量の入射光量に伴うＯＢ部への光漏れの影響を受けないようにする対策を安価に施すことができる撮像装置を提供する。【解決手段】システム制御部５０は、ＯＢクランプ動作で決定されたダークレベルと、目標のクランプレベルとの差を検出し、クランプ動作の応答特性とから、光漏れによるＯＢ部の浮きを算出する。そして、光漏れにより発生したクランプ動作によるクランプエラーを補正する。【選択図】図２
2010263554.tif 000002
【特許請求の範囲】
【請求項１】
被写体からの光を電気信号に変換する複数の画素からなる有効画素部と、前記有効画素部に隣接して形成され、遮光されたＯＢ部とを有する撮像素子と、
前記ＯＢ部の出力レベルに基づいて前記有効画素部から出力される画像信号のダークレベルを所定レベルにクランプするクランプ手段と、
前記クランプ手段でクランプされたダークレベルと前記所定レベルとの差を検出する誤差検出手段と、
前記誤差検出手段の検出の結果に応じて、前記画像信号の補正を行う補正手段と、
を備えることを特徴とする撮像装置。
【請求項２】
前記クランプ手段は、前記出力レベルの急激な変化に対し、前記ダークレベルを徐々に追従させることを特徴とする請求項１記載の撮像装置。
【請求項３】
前記補正手段は、前記誤差検出手段の検出の結果に対し、所定の係数を用いて補正を行うことを特徴とする請求項１記載の撮像装置。
【請求項４】
前記補正手段は、前記誤差検出手段の検出の結果において、所定の周波数の変化に対して所定の係数を用いて補正を行うことを特徴とする請求項１記載の撮像装置。
【請求項５】
被写体からの光を電気信号に変換する複数の画素からなる有効画素部と、前記有効画素部に隣接して形成され、遮光されたＯＢ部とを有する撮像素子の前記ＯＢ部の出力レベルに基づいて前記有効画素部から出力される画像信号のダークレベルを所定レベルにクランプするクランプステップと、
前記クランプステップでクランプされたダークレベルと前記所定レベルとの差を検出する誤差検出ステップと、
前記誤差検出ステップの検出の結果に応じて、前記画像信号の補正を行う補正ステップと、
を備えることを特徴とする撮像装置の制御方法。
【請求項６】
被写体からの光を電気信号に変換する複数の画素からなる有効画素部と、前記有効画素部に隣接して形成され、遮光されたＯＢ部とを有する撮像素子と、
前記ＯＢ部の出力レベルに基づいて前記有効画素部から出力される画像信号のダークレベルを所定レベルにクランプするクランプ手段と、
前記ＯＢ部における所定領域から出力される積分値または平均値を算出し、算出された前記積分値または前記平均値と前記所定レベルとの差に対し前記クランプ動作の応答特性の逆変換を行って前記ＯＢ部からの元の出力値を推定し、推定された前記元の出力値と前記積分値または前記平均出力値との差を補正値として算出し、算出された前記補正値に基づいて前記画像信号に対するオフセット補正を行うように制御する制御手段と、
を備えることを特徴とする撮像装置。
【請求項７】
被写体からの光を電気信号に変換する複数の画素からなる有効画素部と、前記有効画素部に隣接して形成され、遮光されたＯＢ部とを有する撮像素子の前記ＯＢ部の出力レベルに基づいて前記有効画素部から出力される画像信号のダークレベルを所定レベルにクランプするクランプステップと、
前記ＯＢ部における所定領域から出力される積分値または平均値を算出する第１の算出ステップと、
前記第１の算出ステップで算出された前記積分値または前記平均値と前記所定レベルとの差に対し前記クランプ動作の応答特性の逆変換を行って前記ＯＢ部からの元の出力値を推定する推定ステップと、
前記推定ステップで推定された前記元の出力値と前記積分値または前記平均出力値との差を補正値として算出する第２の算出ステップと、
前記第２の算出ステップで算出された前記補正値に基づいて前記画像信号に対するオフセット補正を行う補正ステップと、
を備えることを特徴とする撮像装置の制御方法。
【発明の詳細な説明】
【技術分野】
【０００１】
本発明は、撮像装置及びその制御方法に関し、特に、ＯＢクランプを行う際の技術に特徴のある撮像装置及びその制御方法に関する。
【背景技術】
【０００２】
従来、固体メモリ素子を有するメモリカードを記録媒体として、ＣＣＤ、ＣＭＯＳ等の固体撮像素子で撮像した静止画像や動画像を記録及び再生する電子カメラ等の撮像装置（画像処理装置）が市販されている。
【０００３】
これらの撮像装置の撮像素子に用いられる多くは、ＯＢ（Optical Black）画素と呼ばれるアルミニウム膜等によって遮光された複数の画素を備えており、そのＯＢ画素範囲（以下、ＯＢ部とする）の出力値を以って、ダークレベルとしてＯＢクランプを行っている。ここで、ＯＢクランプによるダークレベルの調整には以下のような問題があった。
【０００４】
即ち、ＯＢ部の全体もしくは一部分が有効画素部のダークレベルとは異なったレベルとなってしまう現象が発生してしまう恐れがある。具体例として、例えば、ＯＢ部の付近に高輝度の被写体が存在し、入射光量が大量であった場合を説明する。
【０００５】
このような場合、遮光しているにもかかわらず、隣接する有効画素領域からの光漏れやブルーミングにより、ＯＢ部のレベルが有効画素部のダークレベルを維持できなくなるという現象が発生する。
【０００６】
ＯＢ部の出力レベルと有効画素部のダークレベルとの間にずれが発生すると、入射光が無いダーク状態の値を誤ってしまい、入射光量に対する出力レベルのリニアリティが保てなくなる。その結果、例えば、ホワイトバランス処理後の色が不自然になってしまう等の問題が発生する。
【０００７】
図６は、ＯＢ部と有効画素部の境界付近に高輝度被写体による入射光があった場合に発生するＯＢ浮きの問題例を示す図である。
【０００８】
図６（ａ）は、水平ＯＢクランプを行う前を示し、図６（ｂ）は、水平ＯＢクランプを行った後を示している。ここで言う水平ＯＢクランプとは、得られた画像における各行の水平ＯＢ部のダークレベルを所定レベルにクランプすることをいう。
【０００９】
この問題例においては、図６（ａ）に示される高輝度入射部によってＯＢ部のレベルが一部持ち上がり、このＯＢ部を用いて水平ＯＢクランプを行うと、図６（ｂ）のように、ＯＢが持ち上がった部分の行のダークレベルが引き下げられている。その結果、沈んだ部分が帯状に発生してしまう。
【００１０】
このようなＯＢ領域への光漏れに対する対策としては様々な提案がなされており、例えば、特許文献１において提案されている撮像装置においては、以下の対策を施している。
【００１１】
即ち、上記撮像装置においては、ＯＢ部における出力レベルが有効画素部からの距離に応じて変化していることを検出し、検出結果に応じて、ダークレベルを算出するＯＢ領域を開口領域からの遠い領域に変えること等の対策を施している。
【先行技術文献】
【特許文献】
【００１２】
【特許文献１】特開２００７−１５８８３０号公報
【発明の概要】
【発明が解決しようとする課題】
【００１３】
しかしながら、上記従来技術の撮像装置におけるＯＢ領域への光漏れ問題の対処法においては、以下のような問題があった。
【００１４】
即ち、開口領域から遠い領域でダークレベルを演算するため、広いＯＢ領域を確保する必要があり、チップ面積の拡大によるコストアップの問題が発生していた。
【００１５】
本発明の目的は、高輝度被写体等による大量の入射光量に伴うＯＢ部への光漏れの影響を受けないようにする対策を安価に施すことができる撮像装置を提供することにある。
【課題を解決するための手段】
【００１６】
上記目的を達成するために、請求項１記載の撮像装置は、被写体からの光を電気信号に変換する複数の画素からなる有効画素部と、前記有効画素部に隣接して形成され、遮光されたＯＢ部とを有する撮像素子と、前記ＯＢ部の出力レベルに基づいて前記有効画素部から出力される画像信号のダークレベルを所定レベルにクランプするクランプ手段と、前記クランプ手段でクランプされたダークレベルと前記所定レベルとの差を検出する誤差検出手段と、前記誤差検出手段の検出の結果に応じて、前記画像信号の補正を行う補正手段とを備えることを特徴とする。
【００１７】
請求項５記載の撮像装置の制御方法は、被写体からの光を電気信号に変換する複数の画素からなる有効画素部と、前記有効画素部に隣接して形成され、遮光されたＯＢ部とを有する撮像素子の前記ＯＢ部の出力レベルに基づいて前記有効画素部から出力される画像信号のダークレベルを所定レベルにクランプするクランプステップと、前記クランプステップでクランプされたダークレベルと前記所定レベルとの差を検出する誤差検出ステップと、前記誤差検出ステップの検出の結果に応じて、前記画像信号の補正を行う補正ステップとを備えることを特徴とする。
【００１８】
請求項６記載の撮像装置は、被写体からの光を電気信号に変換する複数の画素からなる有効画素部と、前記有効画素部に隣接して形成され、遮光されたＯＢ部とを有する撮像素子と、前記ＯＢ部の出力レベルに基づいて前記有効画素部から出力される画像信号のダークレベルを所定レベルにクランプするクランプ手段と、前記ＯＢ部における所定領域から出力される積分値または平均値を算出し、算出された前記積分値または前記平均値と前記所定レベルとの差に対し前記クランプ動作の応答特性の逆変換を行って前記ＯＢ部からの元の出力値を推定し、推定された前記元の出力値と前記積分値または前記平均出力値との差を補正値として算出し、算出された前記補正値に基づいて前記画像信号に対するオフセット補正を行うように制御する制御手段と、を備えることを特徴とする。
【００１９】
請求項７記載の撮像装置の制御方法は、被写体からの光を電気信号に変換する複数の画素からなる有効画素部と、前記有効画素部に隣接して形成され、遮光されたＯＢ部とを有する撮像素子の前記ＯＢ部の出力レベルに基づいて前記有効画素部から出力される画像信号のダークレベルを所定レベルにクランプするクランプステップと、前記ＯＢ部における所定領域から出力される積分値または平均値を算出する第１の算出ステップと、前記第１の算出ステップで算出された前記積分値または前記平均値と前記所定レベルとの差に対し前記クランプ動作の応答特性の逆変換を行って前記ＯＢ部からの元の出力値を推定する推定ステップと、前記推定ステップで推定された前記元の出力値と前記積分値または前記平均出力値との差を補正値として算出する第２の算出ステップと、前記第２の算出ステップで算出された前記補正値に基づいて前記画像信号に対するオフセット補正を行う補正ステップと、を備えることを特徴とする。
【発明の効果】
【００２０】
本発明の撮像装置によれば、高輝度被写体等による大量の入射光量に伴うＯＢ部への光漏れの影響を受けないようにする対策を安価に施すことができる。
【図面の簡単な説明】
【００２１】
【図１】本発明の実施の形態に係る撮像装置としての電子カメラの構成を示すブロック図である。
【図２】図１の電子カメラによって実行される撮影処理（撮像シーケンス）の手順を示すフローチャートである。
【図３】図２のステップＳ１０６によって実行される水平ＯＢクランプ誤差（光漏れクランプ誤差）補正処理の第１の実施の形態の手順を示すフローチャートである。
【図４】図２のステップＳ１０６によって実行される水平ＯＢクランプ誤差（光漏れクランプ誤差）補正処理の第２の実施の形態の手順を示すフローチャートである。
【図５】図１の電子カメラにおける水平ＯＢ部の垂直シェーディングのクランプ動作前後の補正量の差を示す図である。
【図６】（ａ）は、ＯＢ部と有効画素部の境界付近に高輝度被写体による入射光があった場合に発生するＯＢ浮きの問題例を示す図である。（ｂ）は、ＯＢ部と有効画素部の境界付近に高輝度被写体による入射光があった場合に発生するＯＢ浮きの問題例を示す図である。
【発明を実施するための形態】
【００２２】
以下、本発明を図面を参照しながら詳細に説明する。
【００２３】
図１は、本発明の実施の形態に係る撮像装置としての電子カメラの構成を示すブロック図である。
【００２４】
図１において、被写体を撮像して生成された画像データを記録媒体に記録する電子カメラは、装置本体１００と、第１の記録媒体２００及び第２の記録媒体２１０と、レンズユニット３００とから構成される。以下、その構成を動作と併せて説明する。
【００２５】
シャッタ１２は、撮像素子１４の露光量を制御する絞り機能を有する。撮像素子１４は、光学像を電気信号に変換する。撮像素子１４は、被写体からの反射光により露光した光信号を電気信号に変換する画素を複数有する有効画素部と、有効画素部に隣接して形成され、その前面が遮光されたＯＢ部とから構成される。
【００２６】
複数のレンズ、絞り、シャッタ等で構成されるレンズユニット３００に入射した光線は、撮像素子１４上に光学像として決像する。即ち、レンズユニット３００内の撮影レンズ３１０に入射した光線は、絞り３１２、外側レンズマウント３０６、内側レンズマウント１０６、第１のミラー１３０及びシャッタ１２を通じて一眼レフ方式により導かれ、撮像素子１４上に光学像として結像する。
【００２７】
アナログ信号処理部（ＡＦＥ）１５は、撮像素子１４から出力されるアナログ信号に対して各種処理を行う。アナログ信号処理部１５は、入力アナログ画像信号の相関２重サンプリングを行うＣＤＳ部１６と、アナログ画像信号に所定のゲインをかけるＰＧＡ部１７と、アナログ信号をディジタル信号に変換するＡ／Ｄ変換部１８とから構成されている。尚、本実施の形態において、後述する水平ＯＢクランプは、このアナログ信号処理部１５で行われる。
【００２８】
タイミング発生部１９は、撮像素子１４及びアナログ信号処理部１５等にクロック信号や制御信号を供給するものであり、メモリ制御部２２及びシステム制御部５０によって制御される。
【００２９】
画像処理部２０は、アナログ信号処理部１５からのデータあるいはメモリ制御部２２からのデータに対して所定の画素補間処理や色変換処理を行う。また、画像処理部２０は、必要に応じて撮像した画像データを用いて所定の演算処理を行い、得られた演算結果に基づいてＴＴＬ（スルー・ザ・レンズ）方式のＡＷＢ（オートホワイトバランス）処理を行う。尚、本実施の形態において、後述するＯＢ積分は、この画像処理部２０で行われる。
【００３０】
メモリ制御部２２は、アナログ信号処理部１５、タイミング発生部１９、画像処理部２０、メモリ３０及び圧縮・伸長部３２を制御する。アナログ信号処理部１５から送られるデータは、画像処理部２０及びメモリ制御部２２を介して、あるいは直接、メモリ制御部２２を介して画像表示メモリ２４あるいはメモリ３０に書き込まれる。
【００３１】
画像表示メモリ２４に書き込まれた表示用の画像データは、Ｄ／Ａ変換部２６を介してＴＦＴ方式のＬＣＤからなる画像表示部２８に表示される。撮像された画像データを画像表示部２８で逐次表示する場合は、電子ファインダ機能を実現することが可能である。
【００３２】
メモリ３０は、撮影された静止画像や動画像を格納する。また、メモリ３０は、システム制御部５０の作業領域としても使用することが可能である。圧縮・伸長部３２は、適応離散コサイン変換（ＡＤＣＴ）等により画像データを圧縮、伸長するものであり、メモリ３０に格納された画像を読み出して圧縮処理あるいは伸長処理を行い、処理を終えたデータをメモリ３０に書き込む。
【００３３】
シャッタ制御部４０は、システム制御部５０による制御に基づいて、絞り３１２を制御する絞り制御部３４０と連携しながらシャッタ１２を制御する。システム制御部５０は、装置本体１００全体を制御するものであり、シャッタ制御部４０を介したシャッタ１２の制御や絞り制御部３４０を介した絞り制御を含めた一連の撮像（撮影）動作を制御する。また、システム制御部５０は、不図示のＡＥ（自動露出）部、ＡＦ（オートフォーカス）部による各種動作等を各種設定に従い制御する。
【００３４】
第１及び第２のインターフェース（Ｉ／Ｆ）９０及び９４は、メモリカードやハードディスク等の第１及び第２の記録媒体２００及び２１０とのインターフェースである。また、１及び第２の内側コネクタ９２及び９６は、第１及び第２の記録媒体２００及び２１０との接続を行う。
【００３５】
第１の記録媒体２００は、半導体メモリや磁気ディスク等から構成される第１の記録部２０２、装置本体１００と接続するための第３のインターフェース２０４、及び装置本体１００との接続を行う第１の外側コネクタ２０６を有している。
【００３６】
第２の記録媒体２１０は、半導体メモリや磁気ディスク等から構成される第２の記録部２１２、装置本体１００と接続するための第４のインターフェース２１４、及び装置本体１００との接続を行う第２の外側コネクタ２１６を有している。
【００３７】
第５のインターフェース１２０は、内側レンズマウント１０６内で装置本体１００をレンズユニット３００と接続する。第１及び第２のミラー１３０及び１３２は、撮影レンズ３１０に入射した光線を、一眼レフ方式によって光学ファインダ１０４に導く。第２のミラー１３２は、クイックリターンミラーの構成にしてもハーフミラーの構成にしてもどちらでもよい。
【００３８】
レンズユニット３００は、交換レンズタイプのものである。外側レンズマウント３０６は、レンズユニット３００を装置本体１００と機械的に結合する。外側レンズマウント３０６内には、レンズユニット３００を装置本体１００と電気的に接続する各種機能が含まれている。
【００３９】
第６のインターフェース３２０は、外側レンズマウント３０６内でレンズユニット３００を装置本体１００と接続する。第３の外側コネクタ３２２は、レンズユニット３００を装置本体１００と電気的に接続するものであり、装置本体１００の第３の内側コネクタ１２２と接続されている。
【００４０】
第３の外側コネクタ３２２は、装置本体１００とレンズユニット３００との間で制御信号、状態信号、データ信号等を伝え合うとともに、各種電流が供給され、あるいは電流を供給する機能を備えている。
【００４１】
絞り制御部３４０は、システム制御部５０による制御に基づいて、シャッタ１２を制御するシャッタ制御部４０と連携しながら、絞り３１２を制御する。測距制御部３４２は、撮影レンズ３１０のフォーカシングを制御する。ズーム制御部３４４は、撮影レンズ３１０のズーミングを制御する。レンズ制御部３５０は、レンズユニット３００全体を制御する。
【００４２】
次に、図２乃至図５を参照して、本実施の形態の動作を説明する。
【００４３】
図２は、図１の電子カメラによって実行される撮影処理（撮像シーケンス）の手順を示すフローチャートである。
【００４４】
本フローチャートは、図１におけるシステム制御部５０の制御の下に実行される。
【００４５】
図２において、撮影開始に伴い、システム制御部５０は、タイミング発生部１９を介して撮像素子１４における信号蓄積を開始させる（ステップＳ１０１）。次に、システム制御部５０は、シャッタ１２が開閉することによって露光を行った後（ステップＳ１０２）、撮像素子１４における信号蓄積を終了させる（ステップＳ１０３）。
【００４６】
次に、システム制御部５０の指示により、アナログ信号処理部１５は、水平ＯＢの出力値が、ダークレベルになるようにクランプ動作を行う。アナログ信号処理部１５は、ＯＢ部における出力レベル（出力信号）に基づいて前記画像データのダークレベルを所定レベルにクランプするクランプ手段として機能する。
【００４７】
このアナログ信号処理部１５でのクランプ動作（アナログクランプ動作）においては、クランプ動作による横スジ状のノイズの発生を避けるため、遅い応答特性でクランプを行うのが一般的である。
【００４８】
その後、システム制御部５０は、水平ＯＢ部、有効画素部の行読み出し及びＡ／Ｄ変換を開始し、画像データを、メモリ制御部２２を介しながらメモリ３０に転送する（ステップＳ１０４）。
【００４９】
そして、システム制御部５０は、有効画素部の行読み出しが完了したら、その行が最終行であるか否かを判定する（ステップＳ１０５）。この判定の結果、最終行である場合は、システム制御部（誤差検出手段）５０は、メモリ３０に記憶されている水平ＯＢ領域の信号レベルを検出し、アナログクランプ動作の目標としたダークレベルに対する誤差を検出する。また、それと共に、システム制御部５０（補正手段）は、検出された誤差を基に、ステップＳ１０６において、水平ＯＢ領域の信号レベルを補正する（水平ＯＢ領域クランプ誤差補正処理を行う）。
【００５０】
ここで、クランプ手段としてのアナログ信号処理部１５は、出力レベルの急激な変化に対し、ダークレベルを徐々に追従させる。
【００５１】
また、補正手段としてのシステム制御部５０は、ＯＢクランプ誤差の検出の結果に対し、所定の係数を用いて補正を行う。
【００５２】
また、補正手段としてのシステム制御部５０は、ＯＢクランプ誤差の検出の結果において、所定の周波数の変化に対して所定の係数を用いて補正を行う。
【００５３】
一方、ステップＳ１０５の判定の結果、最終行でない場合は、システム制御部５０は、ステップＳ１０４に戻り、次の行の読み出しを行う。
【００５４】
図３は、図２のステップＳ１０６によって実行される水平ＯＢクランプ誤差（光漏れクランプ誤差）補正処理の第１の実施の形態の手順を示すフローチャートである。
【００５５】
まず、システム制御部５０は、行ごとに水平ＯＢ内でアナログクランプ動作に用いた範囲の平均出力値を算出する（ステップＳ３０１）。そして、システム制御部５０は、その平均出力値とアナログクランプ動作の目標としたダークレベルとの差に対し、アナログクランプ動作の応答特性の逆変換を行い、元の水平ＯＢ出力値を推定する。
【００５６】
次に、システム制御部５０は、推定された水平ＯＢ出力値と、平均出力値との差を補正値として算出する（ステップＳ３０２）。そして、システム制御部５０は、算出された補正値に基づいて行全体のデータに対しオフセット補正を行う（ステップＳ３０３）。
【００５７】
このオフセット補正を行うことによって、光漏れによって水平ＯＢが浮き、更にアナログクランプ動作を行うことによって発生する有効画素の沈み現象を補正することができる。
【００５８】
次に、システム制御部５０は、その行が最終行であるか否かを判定する（ステップＳ３０４）。最終行である場合、水平ＯＢクランプ誤差補正処理を終了する。最終行でない場合、システム制御部５０は、ステップＳ３０２に戻り、次の行の補正を行う。
【００５９】
図４は、図２のステップＳ１０６によって実行される水平ＯＢクランプ誤差（光漏れクランプ誤差）補正処理の第２の実施の形態の手順を示すフローチャートである。
【００６０】
図３の第１の実施の形態では、行ごとに水平ＯＢクランプ誤差補正を行う場合について説明した。図４の第２の実施の形態では、画像全体に対して、同一の水平ＯＢクランプ誤差補正を行う。
【００６１】
ＯＢクランプレベル補正ルーチンの開始に伴い、システム制御部５０は、まず、水平ＯＢ部の予め設定された領域の積分値または平均出力値を算出する（ステップＳ４０１）。
【００６２】
そして、システム制御部５０は、この算出結果とアナログクランプ動作の目標としたダークレベルとの差に対し、アナログクランプ動作の応答特性の逆変換を行い、元の水平ＯＢの出力の積分値または平均出力値を推定する。そして、システム制御部５０は、推定された積分値または平均出力値と、実際に得られた積分値または平均出力値との差を補正値として算出する（ステップＳ４０２）。
【００６３】
次に、システム制御部５０は、ステップＳ４０２で算出された補正値を用いて画像全体に対しオフセット補正を行う（ステップ４０３）。そしてＯＢクランプレベル補正処理を終了する。
【００６４】
図５は、図１の電子カメラにおける水平ＯＢ部の垂直シェーディングのクランプ動作前後の補正量の差を示す図である。
【００６５】
図５に示すグラフは、図６（ａ）の水平ＯＢ部に近い有効画素領域に大きな入射光量がある場合の水平ＯＢ領域の垂直シェーディングを表している。横軸は垂直方向のアドレスである。また、縦軸は出力レベルである。
【００６６】
図５では、水平ＯＢ部に近い有効画素領域に大きな入射光量があるために、水平ＯＢ部へ光漏れが発生し、これにより、アナログクランプ動作前のグラフに示すような水平ＯＢ内での局所的な浮きが発生し、垂直シェーディングを発生させている。
【００６７】
これに対して、水平ＯＢ部の出力値がダークレベルになるように、アナログクランプ動作を行っているため、アナログクランプ動作後のグラフに示すような垂直シェーディングとなる。
【００６８】
アナログクランプ動作は、遅い応答特性であり、局所的な急激なレベル変動に応答しきれないため、アナログクランプ動作後の信号レベルは、目標としたダークレベルに対し誤差を持ったレベルとなっている。このアナログクランプ動作前後でのシェーディングの差が、本発明のクランプ誤差補正による補正量である。
【００６９】
アナログクランプ動作後の垂直シェーディングに対し、アナログクランプ動作の応答性に応じた係数をかけることで、クランプ補正量を算出することが可能である。それによって光漏れ等によって発生する水平ＯＢ部の局所的な浮きによるアナログクランプ動作の誤差だけを補正することができる。
【００７０】
本実施の形態のシステム制御部５０は、ＯＢ部における所定領域から出力される積分値または平均値を算出する（第１の算出手段）。そして、システム制御部５０は、算出された積分値または平均値と所定レベルとの差に対しクランプ動作の応答特性の逆変換を行ってＯＢ部からの元の出力値を推定する（推定手段）。そして、システム制御部５０は、推定された元の出力値と積分値または平均出力値との差を補正値として算出し（第２の算出手段）、算出された補正値に基づいて画像信号に対するオフセット補正を行うように制御する。
【００７１】
尚、本実施の形態においては、水平ＯＢの出力をクランプするために、水平ＯＢ部のクランプ誤差を検出して水平ＯＢ部への光漏れを求めたが、垂直ＯＢのクランプ誤差を検出して垂直ＯＢ部への光漏れを求めてもよい。勿論、水平及び垂直の両ＯＢともモニタする構成としても問題ない。
【００７２】
尚、第１及び第２の記録媒体２００及び２１０は、ＰＣＭＣＩＡカードやコンパクトフラッシュ（登録商標）等のメモリカード、ハードディスク等だけでない。マイクロＤＡＴ、光磁気ディスク、ＣＤ−ＲやＣＤ−ＲＷ等の光ディスク、ＤＶＤ等の相変化型光ディスク等で構成されていても勿論問題無い。
【００７３】
また、第１及び第２の記録媒体２００及び２１０がメモリカードとハードディスク等が一体となった複合媒体であっても勿論問題無い。更に、その複合媒体から一部が着脱可能な構成としても勿論問題無い。
【００７４】
そして、本実施の形態の説明においては、第１及び第２の記録媒体２００及び２１０は装置本体１００と分離していて任意に接続可能なものとして説明したが、いずれかあるいは全ての記録媒体が装置本体１００に固定したままとなっていても勿論問題無い。
【００７５】
また、第１の記録媒体２００または第２の記録媒体２１０が、装置本体１００に単数あるいは複数接続可能な構成であっても構わない。そして、第１及び第２の記録媒体２００及び２１０が装置本体１００に装着する構成として説明したが、記録媒体は単数あるいは複数の何れの組み合わせの構成であっても、勿論問題無い。
【符号の説明】
【００７６】
１４  撮像素子
１５  アナログ信号処理部
１６  ＣＤＳ部
１７  ＰＧＡ部
１９  タイミング発生部
２０  画像処理部
２２  メモリ制御部
２８  画像表示部
３０  メモリ
３２  圧縮・伸長部
５０  システム制御部
２００  第１の記録媒体
２１０  第２の記録媒体
３００  レンズユニット
【図１】
2010263554.tif 000003
【図２】
2010263554.tif 000004
【図３】
2010263554.tif 000005
【図４】
2010263554.tif 000006
【図５】
2010263554.tif 000007
【図６】
2010263554.tif 000008